(57)【要約】【課題】  電子のラブが１公転する間に１０８回自転すると考えると、電子のラブの自転の軌道エネルギーの式は、１０−３３Ｊ・ｍ÷軌道又はエネルギー  です。軌道エネルギーとは何か。【解決手段】  電子のラブの１秒間の仕事×軌道＝電子のラブが１秒間に回転した運動量です。電子のラブの運動量が保存される。磁気の光子の運動量として保存される。電気の光子の運動量として保存される。それで、電子のラブの自転の軌道エネルギーは、８×１０−１４Ｊ×１．２５×１０−２０ｍ＝１０−３３Ｊ・ｍであり、これは、電子のラブの自転の運動量です。軌道エネルギーは運動量です。この電子のラブの運動量が磁気の光子の運動量になる。電子のラブが１秒間、自転運動をし、１０２４個の磁気の光子を作るから、電子のラブの１０−３３Ｊ・ｍの運動量は磁気の光子１０２４個の運動量になる。磁気の光子１個の運動量は、１０−３３Ｊ・ｍ÷１０２４個＝１０−５７Ｊ・ｍです。【選択図】図６
2005287297.tif 000002
【特許請求の範囲】
【請求項１】
本発明者は、１０８個の電気の光子でＸ線１個ができると考えていたが、１個の電気の光子がＸ線です。
電子のラブが１公転する事によって、Ｘ線１個（＝電気の光子１個）ができる。
【請求項２】
本発明者は、電子のラブが１公転するとき、電子のラブは１０１６回自転すると考えていたが、電子のラブが１公転するとき、電子のラブは１０８回自転する。
【請求項３】
本発明者は、ラブの自転の軌道エネルギーの式は、１０−４１Ｊ・ｍ÷軌道又はエネルギー  であると考えてきたが、ラブの自転の軌道エネルギーの式は、１０−３３Ｊ・ｍ÷軌道又はエネルギー  である。
それで、電子のラブの自転の軌道は、１０−３３Ｊ・ｍ÷（８×１０−１４Ｊ）＝１．２５×１０−２０ｍです。
電子のラブの公転軌道は、１０−２５Ｊ・ｍ÷（８×１０−１４Ｊ）＝１．２５×１０−１２ｍです。
１公転するとき、３．１４×１．２５×１０−１２ｍ÷（３．１４×１．２５×１０−２０ｍ）＝１０８回自転する。
電子のラブは１公転し、電気の光子を１個作るとき、電子のラブは１０８回自転し、磁気の光子を１０８個作る。
【請求項４】
電子のラブは１秒間に何回公転するか。
原子の、電子のラブの秒速は４×１０４ｍですから、電子のラブは１秒間に、４×１０４ｍ÷（３．１４×１．２５×１０−１２ｍ）＝１０１６回公転する。
【請求項５】
電子のラブが１公転してできる１個の電気の光子のエネルギーはどれ位か。
電子のラブは、１秒間に８×１０−１４Ｊの電気の光子を作るので、１公転でできる１個の電気の光子のエネルギーは、８×１０−１４Ｊ÷１０１６個＝８×１０−３０Ｊです。
【請求項６】
電子のラブが１自転してできる１個の磁気の光子のエネルギーはどれ位か。
電子のラブは１０８回自転し、８×１０−３０Ｊの電気の光子を作るのであるから、１０８回の自転のエネルギーは８×１０−３０Ｊです。
それで、１回の自転のエネルギーは、８×１０−３０Ｊ÷１０８回＝８×１０−３８Ｊです。
電子のラブが１自転してできる１個の磁気の光子のエネルギーは８×１０−３８Ｊです。
【請求項７】
電子のラブは１秒間にどれ位の電気のエネルギーと磁気のエネルギーを作るか。
電子のラブは、１秒間に、１．２５×１０−１２ｍの軌道を１０１６回公転し、１０１６個の電気の光子を作る。電気の光子１個のエネルギーは８×１０−３０Ｊですから、１．２５×１０−１２ｍの軌道で、１秒間に８×１０−１４Ｊの電気の光子を作る。
電子のラブは、１秒間に、１．２５×１０−２０ｍの軌道を１０２４回自転し、１０２４個の磁気の光子を作る。磁気の光子１個のエネルギーは８×１０−３８Ｊですから、１．２５×１０−２０ｍの軌道で、１秒間に８×１０−１４Ｊの電気の光子を作る。
【請求項８】
原子の中で、磁気の光子はどのように変化するか。
（今回は電子の電気の光子と磁気の光子だけについて言及するので、電気の光子と磁気の光子は全て電子の電気の光子と磁気の光子です。）
電子の中で、電子のラブが１．２５×１０−２０ｍの軌道を自転することによって、１．２５×１０−２０ｍで８×１０−３８Ｊの磁気の光子ができる。
１秒間に１０１６回公転するので、１秒間に１０２４回自転し、できる磁気の光子のエネルギーは、８×１０−３８Ｊ×１０２４＝８×１０−１４Ｊです。
できた磁気の光子は、次第に軌道を大きくし、エネルギーを減少させて、大きな軌道になる。
１．２５×１０−１２ｍの軌道になったときには、軌道は１０８倍に成るので、エネルギーは１０−８倍に成り、磁気の光子１個のエネルギーは、８×１０−３８Ｊ×１０−８＝８×１０−４６Ｊになる。
磁気の光子は１０８個が束になって、電気の光子をクロス回転している。
磁気の光子の軌道が１．２５×１０−１２ｍになったとき、軌道が１．２５×１０−１２ｍの電気の光子をクロス回転する。
１秒間に、電気の光子は１０１６個回転するので、磁気の光子は１０２４個回転する。
【請求項９】
原子の中で、電気の光子はどのようになっているか。
本発明者は、特願２００５−８２７８の「請求項８」で、実際、原子の中において、電気の光子の軌道エネルギーはどれ位か、について記しています。
電子の中を原子の中と訂正します。
電子の光子が１０８個で１個のＸ線になると考えています。
これを電気の光子１個で１個のＸ線であると訂正します。
本発明者は、今度、電子の光子が１個で１個のＸ線になると考えます。
それで、原子の中の軌道において、電気の光子は、１秒間にどれ位回転しているか。そのエネルギーはどれ位か。軌道エネルギーの式はどのようであるかを表にします。
原子の中の、電気の光子１個のエネルギーを８×１０−３０Ｊとしています。
2005287297.tif 000007
原子の中で、電気の光子の軌道エネルギーは、電子のラブの公転から離れるほど、外側になるほど、電気の光子の数は減少し、軌道のエネルギーは小さくなる。
これは、電子のラブが電気の光子を引き付けている事を示す。
【請求項１０】
原子の中で、磁気の光子はどのようになっているか。
本発明者は、特願２００５−８２７８の「請求項９」で、実際、原子の中において、磁気の光子の軌道エネルギーはどれ位か、について記しています。
電子の中を原子の中と訂正します。
電子のラブが１公転で、１０１６個の磁気の光子ができると考えています。
これを、電子のラブが１公転で、１０８個の磁気の光子ができると訂正します。
１０１６個の磁気の光子のエネルギーを１０−３７Ｊとしています。
これを訂正し、１０８個のエネルギーを８×１０−３８Ｊとします。
本発明者は、今回、電子のラブが１公転で、１０８個の磁気の光子ができると考えています。
それで、原子の中の軌道において、磁気の光子は、１秒間にどれ位回転しているか。そのエネルギーはどれ位か。軌道エネルギーの式はどのようであるかを表にします。
原子の中の、磁気の光子１個のエネルギーを８×１０−３８Ｊとしています。
2005287297.tif 000008
原子の中で、磁気の光子は、１０８個が１束になって、電気の光子をクロス回転している。
原子の中で、磁気の光子の軌道エネルギーは、電子のラブの公転から離れるほど、外側になるほど、磁気の光子の数は減少し、軌道のエネルギーは小さくなる。
これは、電子のラブが磁気の光子を引き付けている事を示す。
【請求項１１】
地上では、電気の軌道エネルギーの式と磁気の光子の軌道エネルギーの式はどれくらいか。
地上の軌道エネルギーと原子の外側の軌道エネルギーは同じである。
原子の軌道、約１０−９ｍが地上の軌道エネルギーである。
地上では、電気の光子１個の軌道エネルギーの式は、１０−３３Ｊ・ｍ÷軌道又はエネルギーです。
地上では、磁気の光子１０８個の軌道エネルギーの式は、１０−４１Ｊ・ｍ÷軌道又はエネルギーです。
地上では、磁気の光子１個の軌道エネルギーの式は、１０−４９Ｊ・ｍ÷軌道又はエネルギーです。
【請求項１２】
原子の電子から放出する電気の光子と磁気の光子の数とエネルギーの関係はどのようであるか。
地上の、電気の光子１個の軌道エネルギーの式と磁気の光子１個の軌道エネルギーの式から、地上では、電気の光子１個の軌道エネルギーは、磁気の光子１０１６個の軌道エネルギーと同じです。
電気の光子と磁気の光子は、軌道が同じ場合、電気の光子のエネルギーは磁気の光子のエネルギーの１０１６倍です。
電子のラブが１公転し、１０８個の磁気の光子ができるので、電子から電気の光子と磁気の光子が放出する時、電気の光子の数と磁気の光子の数の割合は、１：１０８です。
電子から電気の光子と磁気の光子が放出する時、電気の光子のエネルギーと磁気の光子のエネルギーの割合は、１０８：１です。
【請求項１３】
万有引力は原子の電子の外側から放出する磁気の光子である事について、本発明者は、特願２００５−９２７０３に記した。この事はどのようなことか。
万有引力定数は６．６７２×１０−１１Ｎ・ｍｍ／Ｋｇ２ですから、１０００ｇでできる万有引力は（６．６７２×１０−１１）１／２Ｊ＝８．１６×１０−６Ｊです。１０００ｇには、１０００÷１２×６．０２２×１０２３個＝５×１０２５個の電子があります。
１個の電子でできる万有引力は、８．１６×１０−６Ｊ÷（５×１０２５個）＝１．６３×１０−３１Ｊです。
原子の中の軌道において、
１０−９ｍの磁気の光子の軌道エネルギーの式は、
１．７×１０−４０Ｊ・ｍ÷軌道又はエネルギーですから、１．６３×１０−３１Ｊの軌道は、
１．７×１０−４０Ｊ・ｍ÷（１．６３×１０−３１Ｊ）＝１．０４３×１０−９ｍです。
１０−９ｍの磁気の光子の軌道で、
１．７１４×１０−３１Ｊは１０８個の磁気の光子が２．１４３×１０６個まとまったエネルギーです。
それで、１個のエネルギーは、
１．７１４×１０−３１Ｊ÷（１０８×２．１４３×１０６個）＝８×１０−４６Ｊです。
これは、１．２５×１０−２０ｍでは、８×１０−３８Ｊであり、１．２５×１０−１２ｍでは８×１０−４６Ｊであるからです。
１．６３×１０−３１Ｊは何個の磁気の光子か。
１．６３×１０−３１Ｊ÷（８×１０−４６Ｊ）＝２．０３７×１０１４個です。
この磁気の光子は、地上では、
１０−４９Ｊ・ｍ÷（８×１０−４６Ｊ）＝１．２５×１０−４ｍです。
即ち、万有引力と成っている磁気の光子は、１電子から毎秒、１．０４３×１０−９ｍの軌道で、８×１０−４６Ｊの磁気の光子が２×１０１４個放出します。このエネルギーは、１．６３×１０−３１Ｊです。
その磁気の光子の軌道は、原子の中では、１．０４×１０−９ｍで、地上に出ると１．２５×１０−４ｍになります。
【請求項１４】
原子の中で、電子のラブが１秒間に作る磁気の光子は８×１０−１４Ｊです。
放出する磁気の光子は１秒間に１．６３×１０−３１Ｊです。
１秒間に放出する磁気の光子はできた磁気の光子のどれ位か。
１秒間に放出する磁気の光子はできた磁気の光子の、１．６３×１０−３１Ｊ÷（８×１０−１４Ｊ）＝２×１０−１８倍です。
【請求項１５】
原子の中で、電子のラブが１秒間に作る電気の光子は８×１０−１４Ｊです。
このうちどれ位の電気の光子のエネルギーが放出するか。
原子の中の、１０−９ｍの磁気の光子の軌道では、１秒間に１．７×１０−３１Ｊの磁気の光子が回転している。
放出する磁気の光子は、１秒間に１．６３×１０−３１Ｊです。
１０−９ｍの軌道を回転する、１．６３×１０−３１Ｊ÷（１．７×１０−３１Ｊ）＝０．９５９倍の磁気の光子が放出する。
それで、電気の光子も同じ割合で放出すると仮定すると、
原子の中の、１０−９ｍの電気の光子の軌道では、１秒間に１．７１４×１０−２３Ｊの電気の光子が回転しているから、放出する電気の光子は、１秒間に、
１．７×１０−２３Ｊ×０．９５９＝１．６３×１０−２３Ｊです。
１秒間に放出する電気の光子のエネルギーは、１．６３×１０−２３Ｊです。
この軌道は、
１０−９ｍの電気の光子の軌道エネルギーの式は、１．７×１０−３２Ｊ・ｍ÷軌道又はエネルギーですから、
１．７×１０−３２Ｊ・ｍ÷（１．６３×１０−２３Ｊ）＝１．０４２９×１０−９ｍです。
１０−９ｍの軌道において、２．１４３×１０６個の電気の光子が回転し、１．７１４×１０−２３Ｊですから、１個の電気の光子のエネルギーは、１．７１４×１０−２３Ｊ÷（２．１４３×１０６個）＝８×１０−３０Ｊです。
１秒間に放出する電気の光子の数は、１．６３×１０−２３Ｊ÷（８×１０−３０Ｊ）＝２．０３７５×１０６個です。
電気の光子の地上での軌道は、１０−３３Ｊ・ｍ÷（８×１０−３０Ｊ）＝１．２５×１０−４ｍです。
即ち、電磁気として放出する場合、
電気の光子は毎秒、１．０４２９×１０−９ｍの軌道で、８×１０−３０Ｊの電気の光子が２．０３７５×１０６個放出します。このエネルギーは１．６３×１０−２３Ｊです。
地上では１．２５×１０−４ｍになります。
即ち、放出する電気の光子のエネルギーは、放出する磁気の光子のエネルギーの、
１．６３×１０−２３Ｊ÷（１．６３×１０−３１Ｊ）＝１０８倍です。
放出する磁気の光子の数は、放出する電気の光子の数の、
２×１０１４個÷（２×１０６個）＝１０８倍です。
放出する電気の光子１個のエネルギーは、放出する磁気の光子１個のエネルギーの、
８×１０−３０Ｊ÷（８×１０−３８Ｊ÷１０８個）＝１０１６倍です。
【請求項１６】
原子の中で、電子のラブが１秒間に作る電気の光子は８×１０−１４Ｊです。
放出する電気の光子は１秒間に１．６３×１０−２３Ｊです。
１秒間に放出する電気の光子はできた電気の光子のどれ位か。
１秒間に放出する電気の光子はできた電気の光子の、１．６３×１０−２３Ｊ÷（８×１０−１４Ｊ）＝３．０３７５×１０−１０倍です。
【請求項１７】
１Ａの導線において、１秒間にできる磁気の光子のエネルギーと、電気の光子のエネルギーはどれだけか。  １Ａの導線には１秒間に何個の自由電子が走っているか。
１Ａの導線において、１秒間にできる磁気の光子のエネルギーは、（１０−７）１／２Ｊ×３×１０８＝９．４８７×１０４Ｊです。
１Ａの導線において、１秒間にできる電気の光子のエネルギーは、（９×１０９）１／２Ｊ＝９．４８７×１０４Ｊです。
１Ａの導線において、１秒間にできる電気の光子のエネルギーと磁気の光子のエネルギーは９．４８７×１０４Ｊで等しい。
１個の自由電子が１秒間走ってできる電気の光子のエネルギーは８×１０−１４Ｊです。
１Ａの導線には１秒間に何個の自由電子が走っているか。９．４８７×１０４Ｊは何個の自由電子によってできるエネルギーか。
１Ａの導線には１秒間に、９．４８７×１０４Ｊ÷（８×１０−１４Ｊ）＝１．１８５×１０１８個の自由電子が走つている。
１Ａの導線には１秒間に、１．１８５×１０１８個の自由電子が走っていて、９．４８７×１０４Ｊの電気の光子と磁気の光子を作る。
１Ａの導線には１秒間に、１．１８５×１０１８個の自由電子が走っていて、９．４８７×１０４Ｊの電気の光子と磁気の光子を作り、この磁気の光子と電気の光子が放出する。
磁気の光子は導線から放出し、引く力になる。
電気の光子は、導線の中で、電気になり、電流になり、電子のラブの逆方向に走る。
導線で、自由電子のラブは、１００％自分のエネルギーを電気の光子にし、これが逆方向に走る。電気の光子は電気となる。
導線で、自由電子のラブは、１００％自分のエネルギーを磁気の光子にし、放出する。磁気の光子は引力になる。
【請求項１８】
導線において、自由電子のラブは１秒間に何回公転するか。１秒間に何回自転するか。
自由電子のラブは、原子の中の電子のラブと同じ回数公転し、自転する。
自由電子のラブは、１秒間に、１０１６回公転し、１０２４回自転する。
【請求項１９】
導線において、自由電子のラブが１公転で作る１個の電気の光子のエネルギーはどれ位か。１自転でできる１個の磁気の光子のエネルギーはどれ位か。
自由電子のラブは、１秒間に、１０１６回公転し８×１０−１４Ｊの電気の光子を作るから、１個の電気の光子のエネルギーは、８×１０−１４Ｊ÷１０１６＝８×１０−３０Ｊです。
【請求項２０】
導線において、自由電子のラブが１自転で作る１個の磁気の光子のエネルギーはどれ位か。
自由電子のラブは、１秒間に、１０２４回自転し８×１０−１４Ｊの磁気の光子を作るから、１個の磁気の光子のエネルギーは、８×１０−１４Ｊ÷１０２４＝８×１０−３８Ｊです。
【請求項２１】
導線において、自由電子のラブの１公転の軌道はどれ位か。１自転の軌道はどれ位か。
導線において、電子のラブは、１秒間に３×１０８ｍ走るとする。
自由電子のラブが１公転する距離は、３×１０８ｍ÷１０１６回公転＝３×１０−８ｍです。
自由電子のラブが１公転する軌道は、３×１０−８ｍ÷２＝１．５×１０−８ｍです。
自由電子のラブは３×１０−８ｍ走り、１公転し、電気の光子１個を作る。
電気の光子１個の軌道は１．５×１０−８ｍで、エネルギーは８×１０−３０Ｊです。
電子のラブが１自転する距離は、３×１０８ｍ÷１０２４回自転＝３×１０−１６ｍです。
電子のラブが１自転する軌道は、３×１０−１６ｍ÷２＝１．５×１０−１６ｍです。
自由電子のラブは３×１０−１６ｍ走り、１自転し、磁気の光子１個を作る。
磁気の光子１個の軌道は１．５×１０−１６ｍで、エネルギーは８×１０−３８Ｊです。
【請求項２２】
導線でできる電気の光子のエネルギーはどのようになるか。地上ではどれ位になるか。
導線において、自由電子のラブは、３×１０−８ｍ走り、１公転し、電気の光子１個を作る。
電気の光子１個の軌道は１．５×１０−８ｍで、エネルギーは８×１０−３０Ｊです。
電気の光子は、電流と成り、導線の中を走ります。
この電気の光子が地上に放出した場合、電気の光子１個のエネルギーは８×１０−３０Ｊです。
地上における軌道は、１０−３３Ｊ・ｍ÷（８×１０−３０Ｊ）＝１．２５×１０−４ｍです。
【請求項２３】
導線でできる磁気の光子のエネルギーはどのようになるか。地上ではどれ位になるか。
導線において、自由電子のラブは３×１０−１６ｍ走り、１自転し、磁気の光子１個を作る。
磁気の光子１個の軌道は１．５×１０−１６ｍで、エネルギーは８×１０−３８Ｊです。
磁気の光子は、導線から放出し、引力になる。
地上における軌道は、１０−４９Ｊ・ｍ÷（８×１０−３８Ｊ）＝１．２５×１０−１２ｍです。
但し、８×１０−４６Ｊでは１．２５×１０−４ｍになります。
磁気の光子の軌道が１０８倍になり、１．５×１０−１６ｍ×１０８倍＝１．５×１０−８ｍに成ると、エネルギーは８×１０−４６Ｊとなる。この磁気の光子が外に放出すると、１．２５×１０−４ｍになります。
【請求項２４】
導線から放出する磁気の光子のエネルギーは１ｍ間では、どれ位か。
自由電子のラブは３×１０−１６ｍで１自転し、１個の磁気の光子を作る。
１ｍでは、１ｍ÷（３×１０−１６ｍ）＝３．３３３×１０１５回自転し、３．３３３×１０１５個の磁気の光子ができるから、１ｍでできる磁気の光子のエネルギーは、
８×１０−３８Ｊ×３．３３３×１０１５個＝２．６６６×１０−２２Ｊです。
１Ａには、１．１８５×１０１８個の自由電子が走っているから、１Ａ・１ｍでできる磁気の光子のエネルギーは、１．１８５×１０１８個×２．６６６×１０−２２Ｊ＝３．１６×１０−４Ｊです。
以上の事をまとめて表にします。
2005287297.tif 000009
2005287297.tif 000010
【請求項２５】
導線の中を電子のラブは光速で走る。この事は何を証明するか。
電子のラブは高エネルギーで、非常に小さい。それで、導線の元素をスイスイ通り抜けるる事ができる。まるで真空を走るように、何の障害物も無いように走る事ができる。
電子は電子のラブである。電子には電子のラブが存在し、それが本体である事を証明する。
導線の中をまるで真空のように走ることができるのは、導線を構成する陽子も、非常に小さいものである陽子のラブである事を証明する。
【請求項２６】
電気の比例定数÷磁気の比例定数＝（光速度）２です。この事はどのような事であるか。この式が成立する事の証明。
（磁気の比例定数）１／２＝（１０−７）１／２＝３．１６×１０−４＝１Ａ・１ｍでできる磁気の光子のエネルギー。
（電気の比例定数）１／２＝（９×１０９）１／２＝９．４８７×１０４＝１Ａ・３×１０８ｍでできる電気の光子のエネルギー。
１秒間にできる電気の光子のエネルギーと磁気の光子のエネルギーは等しいです。
それで、１Ａ・１ｍにできる磁気の光子のエネルギー＝１Ａ・１ｍにできる電気の光子のエネルギー。
電気の比例定数÷磁気の比例定数
＝（１Ａ・３×１０８ｍでできる電気の光子のエネルギー）２÷（１Ａ・１ｍでできる磁気の光子のエネルギー）２
＝（１Ａ・３×１０８ｍでできる電気の光子のエネルギー）２÷（１Ａ・１ｍでできる電気の光子のエネルギー）２
＝（１Ａ・１ｍでできる電気の光子のエネルギー×３×１０８ｍ）２÷（１Ａ・１ｍでできる電気の光子のエネルギー）２＝（３×１０８ｍ）２。
又は、
電気の比例定数÷磁気の比例定数
＝（１Ａ・３×１０８ｍでできる電気の光子のエネルギー）２÷（１Ａ・１ｍでできる磁気の光子のエネルギー）２
＝（１Ａ・３×１０８ｍでできる磁気の光子のエネルギー）２÷（１Ａ・１ｍでできる磁気の光子のエネルギー）２
＝（１Ａ・１ｍでできる磁気の光子のエネルギー×３×１０８ｍ）２÷（１Ａ・１ｍでできる磁気の光子のエネルギー）２＝（３×１０８ｍ）２。
この式によって証明できる。
【請求項２７】
電子のラブはどのように電気の光子と磁気の光子を作るのか。その原理について。
電子のラブはらせん状に走る。
らせん状に走るためには２種類の力が必要です。
１つは回転する力です。１つは進む力です。
らせん状に走るためには２種類の運動が必要です。
１つは回転運動です。１つは進む運動です。
らせん状に走るためには２種類の運動量が必要です。
１つは回転運動量です。１つは進む運動量です。
回転運動と進む運動が組み合って、らせん状に走る運動ができます。
電子のラブは回転運動と進む運動によって、らせん状に走ります。
回転運動の方向は進む運動の方向に対して垂直です。
電子のラブの回転運動は自転運動です。
電子のラブの回転運動が磁気の光子になります。
電子のラブの回転運動量は自転運動量です。
電子のラブの回転運動量が磁気の光子の運動量に成ります。
電子のラブの回転運動量は磁気の光子の運動量に変換し、磁気の光子の運動量は保存します。
電子のラブは回転運動と進む運動によって、らせん状に走ります。
電子のラブの進む運動は公転運動です。
電子のラブの進む運動が電気の光子になります。
電子のラブの進む運動量は公転運動量です。
電子のラブの進む運動量が電気の光子の運動量に成ります。
電子のラブの進む運動量は電気の光子の運動量に変換し、電気の光子の運動量は保存します。
【請求項２８】
電子のラブとはどのようなものであるか。電子のラブの定義。
１．電子のラブは、導線を光速＝３×１０８ｍで走る。
２．電子のラブは、らせん状に走る。
３．らせん状に走るという現象は、回転運動と進む運動をくりかすことです。
４．電子のラブは、回転運動と、進む運動をしながら走る。
５．電子のラブの回転運動は、電子のラブの自転運動です。
６．電子のラブの進む運動は、電子のラブの公転運動です。
７．電子のラブの自転運動は、磁気の光子に成る。
８．電子のラブの公転運動は、電気の光子になる。
９．電子のラブは、磁気の性質と電気の性質を持つ。
【請求項２９】
電子のラブの運動量は、保存される。
電子のラブの１秒間の仕事エネルギー×軌道＝電子のラブの１秒間の仕事エネルギー×軌道を走る距離＝一定の運動量
これは軌道エネルギーとして保存される。
どのように保存されるかについて。
回転する運動のエネルギーは、磁気の光子に成り保存される。
進む運動のエネルギーは、電気の光子に成り保存される。
回転する運動量は、磁気の光子に変換し、磁気の光子の運動量として保存される。
進む運動量は、電気の光子に変換し、電気の光子の運動量として保存される。
電子のラブが１秒間に自転運動するエネルギー×軌道＝電子のラブが１秒間に自転運動し、軌道を走る運動量＝電子のラブが１秒間に軌道を走る自転運動量＝一定＝軌道エネルギー。
電子のラブが１秒間に軌道を走る自転運動量は磁気の光子の運動量に変換し、保存される。
電子のラブが１秒間に公転運動するエネルギー×軌道＝電子のラブが１秒間に公転運動し、軌道を走る運動量＝電子のラブが１秒間に軌道を走る公転運動量＝一定＝軌道エネルギー。
電子のラブが１秒間に軌道を走る公転運動量は電気の光子の運動量に変換し、保存される。
軌道エネルギーは１秒間の運動量です。これは一定です。
軌道エネルギー＝１秒間の運動量＝電子のラブの１秒間の仕事エネルギー×軌道＝一定。
電子のラブの１秒間の仕事エネルギー×軌道は一定の運動量であり、この一定の運動量が電気の光子の運動量や磁気の光子の運動量に変換される。
例えば、電子のラブの自転の軌道エネルギーは、８×１０−１４Ｊ×１．２５×１０−２０ｍ＝１０−３３Ｊ・ｍであり、これは、電子のラブの自転の運動量です。軌道エネルギーは運動量です。
この電子のラブの自転の運動量が磁気の光子の運動量になる。
電子のラブが１秒間、自転運動をし、１０２４個の磁気の光子を作るから、電子のラブの１０−３３Ｊ・ｍの運動量は磁気の光子１０２４個の運動量になる。
磁気の光子１個の運動量は、１０−３３Ｊ・ｍ÷１０２４個＝１０−５７Ｊ・ｍです。
原子の中の、磁気の光子１個の軌道エネルギーは保存されるから、磁気の光子１個の軌道エネルギーの式は、
１０−５７Ｊ・ｍ÷軌道又はエネルギーです。
原子の中は、磁気の光子が１０８個で１束となっていますから、磁気の光子１０８個の軌道エネルギーの式は、
１０−５７Ｊ・ｍ×１０８個÷軌道又はエネルギー＝１０−４９Ｊ・ｍ÷軌道又はエネルギー  です。
それで、磁気の光子１個の１．２５×１０−２０ｍの軌道のエネルギーは、１０−５７Ｊ・ｍ÷（１．２５×１０２０ｍ）＝８×１０−３８Ｊです。
磁気の光子１０８個の１．２５×１０−１２ｍの軌道のエネルギーは、１０−４９Ｊ・ｍ÷（１．２５×１０−１２ｍ）＝８×１０−３８Ｊです。
磁気の光子１個の１．２５×１０−１２ｍの軌道のエネルギーは、１０−５７Ｊ・ｍ÷（１．２５×１０−１２ｍ）＝８×１０−４６Ｊです。
例えば、電子のラブの公転の軌道エネルギーは、８×１０−１４Ｊ×１．２５×１０−１２ｍ＝１０−２５Ｊ・ｍであり、これは、電子のラブの公転の運動量です。軌道エネルギーは運動量です。
この電子のラブの公転の運動量が電気の光子の運動量になる。
電子のラブが１秒間、公転運動をし、１０１６個の電気の光子を作るから、電子のラブの１０−２５Ｊ・ｍの運動量は電気の光子１０１６個の運動量になる。
電気の光子１個の運動量は、１０−２５Ｊ・ｍ÷１０１６個＝１０−４１Ｊ・ｍです。
原子の中の、電気の光子１個の軌道エネルギーは保存されるから、電気の光子１個の軌道エネルギーの式は、
１０−４１Ｊ・ｍ÷軌道又はエネルギーです。
それで、電気の光子の１．２５×１０−１２ｍの軌道のエネルギーは、１０−４１Ｊ・ｍ÷（１．２５×１０−１２ｍ）＝８×１０−３０Ｊです。
【請求項３０】
どうして、地上における軌道エネルギーの式は、原子の中における軌道エネルギーの式の１０８倍になるのか。
原子の中の、磁気の光子１個の軌道エネルギーの式は、１０−５７Ｊ・ｍ÷軌道又はエネルギーです。
地上では、磁気の光子１個の軌道エネルギーの式は、１０−４９Ｊ・ｍ÷軌道又はエネルギー  です。
原子の中の、電気の光子１個の軌道エネルギーの式は、１０−４１Ｊ・ｍ÷軌道又はエネルギーです。
地上では、電気の光子１個の軌道エネルギーの式は、１０−３３Ｊ・ｍ÷軌道又はエネルギー  です。
この事は、エネルギーは変わらないけれど、軌道が大きくなるという事です。
原子の中は高密度で、高エネルギーである。地上は低密度で、低エネルギーである。
それで、原子の中から地上に出た光子は、高エネルギーの原子の中から、低エネルギーの地上に出ると、光子の軌道は１０８倍になる。
地上に出ると、エネルギーは変わらないけれど、光子の軌道は１０８倍になるから、軌道×エネルギーは１０８倍に成る。
【発明の詳細な説明】
【技術分野】
【０００１】  この発明は電磁気の発生に関する。
電子が導線を３×１０８ｍで走る事に関する。
【背景技術】
【０００２】  従来、電磁気の電気：磁気の束＝１：１０８です。
本発明者は、電子のラブが１公転するとき、１０１６回自転すると考えていたが、１０８回自転すると訂正する。
従来、光速は３×１０８ｍで、これは真空状態での光の速度です。
【発明の開示】
【発明が解決しようとする課題】
【０００３】１．  本発明者は、１０８個の電気の光子でＸ線１個ができると考えていたが、１個の電気の光子が１個のＸ線です。
２．  発明者は、電子のラブが１公転するとき、電子のラブは１０１６回自転すると考えていたが、電子のラブが１公転するとき、電子のラブは１０８回自転する。
３．  本発明者は、ラブの自転の軌道エネルギーの式は、１０−４１Ｊ・ｍ÷軌道又はエネルギーであると考えてきたが、ラブの自転の軌道エネルギーの式は、１０−３３Ｊ・ｍ÷軌道又はエネルギー  である。
４．  電子のラブは１秒間に何回公転するか。
５．  電子のラブが１公転してできる１個の電気の光子のエネルギーはどれ位か。
６．  電子のラブが１自転してできる１個の磁気の光子のエネルギーはどれ位か。
７．  電子のラブは１秒間にどれ位の電気の光子のエネルギーと磁気の光子のエネルギーを作るか。
８．  原子の中で、磁気の光子はどのように変化するか。
９．  原子の中で、電気の光子はどのようになっているか。
１０．  原子の中で、磁気の光子はどのようになっているか。
１１．  地上では、電気の軌道エネルギーの式と磁気の光子の軌道エネルギーの式はどれくらいか。
１２．  原子の電子から放出する電気の光子と磁気の光子の数とエネルギーの関係はどのようであるか。
１３．  万有引力は原子の電子の外側から放出する磁気の光子である事について、本発明者は、特願２００５−９２７０３に記した。この事はどのようなことか。
１４．  原子の中で、電子のラブが１秒間に作る磁気の光子は８×１０−１４Ｊです。放出する磁気の光子は１秒間に１．６３×１０−３１Ｊです。
１秒間に放出する磁気の光子はできた磁気の光子のどれ位か。
１５．  原子の中で、電子のラブが１秒間に作る電気の光子は８×１０−１４Ｊです。このうちどれ位の電気の光子のエネルギーが放出するか。
１６．  原子の中で、電子のラブが１秒間に作る電気の光子は８×１０−１４Ｊです。放出する電気の光子は１秒間に１．６３×１０−２３Ｊです。
１秒間に放出する電気の光子はできた電気の光子のどれ位か。
１７．  １Ａの導線において、１秒間にできる磁気の光子のエネルギーと、電気の光子のエネルギーはどれだけか。  １Ａの導線には１秒間に何個の自由電子が走っているか。
１８．  導線において、自由電子のラブは１秒間に何回公転するか。１秒間に何回自転するか。
１９．  導線において、自由電子のラブが１公転で作る１個の電気の光子のエネルギーはどれ位か。
２０．  導線において、自由電子のラブが１自転で作る１個の磁気の光子のエネルギーはどれ位か。
２１．  導線において、自由電子のラブの１公転の軌道はどれ位か。１自転の軌道はどれ位か。
２２．  導線でできる電気の光子のエネルギーはどのようになるか。地上ではどれ位になるか。
２３．  導線でできる磁気の光子のエネルギーはどのようになるか。地上ではどれ位になるか。
２４．  導線から放出する磁気の光子のエネルギーは１ｍ間では、どれ位か。
２５．  導線の中を電子のラブは光速で走る。この事は何を証明するか。
２６．  電気の比例定数÷磁気の比例定数＝（光速度）２です。この事はどのような事であるか。この式が成立する事の証明。
２７．電子のラブはどのように電気の光子と磁気の光子を作るのか。その原理について。
２８．  電子のラブとはどのようなものであるか。電子のラブの定義。
２９．  電子のラブの運動量は、保存される。
３０．  どうして、地上における軌道エネルギーの式は、原子の中における軌道エネルギーの式の１０８倍になるのか。
【課題を解決するための手段】
【０００４】  本発明者は、電気の光子が１０８個で１個のＸ線になると考えていたが、これを、電気の光子１個が１個のＸ線であると訂正する。
本発明者は、電子のラブが１公転する間に、１０１６回自転すると考えていたが、これを、電子のラブが１公転する間に、１０８回自転すると訂正する。
それで、電子のラブの自転の軌道エネルギーの式は、１０−３３Ｊ・ｍ÷軌道又はエネルギーです。
はたして、電子のラブの自転の軌道エネルギーの式が、１０−３３Ｊ・ｍ÷軌道又はエネルギーとなるのはどのような理由によるのか。
軌道エネルギーとは何か。それは、電子のラブが１秒間にする仕事エネルギー×１回転する距離＝電子のラブが１秒間に回転する運動量＝一定である、という事を示す。
電子のラブの１秒間の運動量は保存する。磁気の光子の軌道エネルギーとして保存される。
軌道エネルギーとは電子のラブの運動量であり、それが、磁気の光子の運動量として保存される事である。
電子のラブが公転する場合は、電子のラブの１秒間の運動量は保存する。電気の光子の軌道エネルギーとして保存される。軌道エネルギー＝運動量＝電子のラブの１秒間の仕事エネルギー×１回転する距離（＝軌道）＝８×１０−１４Ｊ×１．２５×１０−１２ｍ＝１０−２５Ｊ・ｍ。
電子のラブの１秒間の運動量１０−２５Ｊ・ｍは、電気の光子の運動量として保存される。
導線を、電子は光速で走る。この事は、電子は電子のラブであり、とっても小さいものである事の証拠である。陽子は陽子のラブであり、とっても小さいものである事の証拠である。
課題１番から２番までは、訂正である。
訂正することによって、データーが変わってくる。
課題３番から１６番までは、原子に於ける電子のラブが作る磁気の光子と電気の光子についてである。
課題１７番から２６番までは、導線に於ける電子のラブが作る磁気の光子と電気の光子についてである。２５番２６番は導線の中を電子のラブは光速で走って、電気の光子と磁気の光子を作る事についてである。
課題２７番は電子のラブがどのように電気の光子と磁気の光子を作るのかについてである。
課題２８番は電子のラブについてである。
課題２９番は電子のラブの運動量が磁気の光子の運動量になり、電気の光子の運動量になることについてである。
課題３０番はどうして、原始の中から地上に放出すると軌道は１０８倍になるのかについてである。
【発明の実施態様】
【０００５】１．  本発明者は、１０８個の電気の光子でＸ線１個ができると考えていたが、１個の電気の光子がＸ線です。
電子のラブが１公転する事によって、Ｘ線１個（＝電気の光子１個）ができる。
２．  本発明者は、電子のラブが１公転するとき、電子のラブは１０１６回自転すると考えていたが、電子のラブが１公転するとき、電子のラブは１０８回自転する。図１
３．  本発明者は、ラブの自転の軌道エネルギーの式は、１０−４１Ｊ・ｍ÷軌道又はエネルギー  であると考えてきたが、ラブの自転の軌道エネルギーの式は、１０−３３Ｊ・ｍ÷軌道又はエネルギー  である。
それで、電子のラブの自転の軌道は、１０−３３Ｊ・ｍ÷（８×１０−１４Ｊ）＝１．２５×１０−２０ｍです。
電子のラブの公転軌道は、１０−２５Ｊ・ｍ÷（８×１０−１４Ｊ）＝１．２５×１０−１２ｍです。
１公転するとき、３．１４×１．２５×１０−１２ｍ÷（３．１４×１．２５×１０−２０ｍ）＝１０８回自転する。
電子のラブは１公転し、電気の光子を１個作るとき、電子のラブは１０８回自転し、磁気の光子を１０８個作る。
４．  電子のラブは１秒間に何回公転するか。
原子の、電子のラブの秒速は４×１０４ｍですから、電子のラブは１秒間に、４×１０４ｍ÷（３．１４×１．２５×１０−１２ｍ）＝１０１６回公転する。
５．  電子のラブが１公転してできる１個の電気の光子のエネルギーはどれ位か。
電子のラブは、１秒間に８×１０−１４Ｊの電気の光子を作るので、１公転でできる１個の電気の光子のエネルギーは、８×１０−１４Ｊ÷１０１６個＝８×１０−３０Ｊです。
６．  電子のラブが１自転してできる１個の磁気の光子のエネルギーはどれ位か。
電子のラブは１０８回自転し、８×１０−３０Ｊの電気の光子を作るのであるから、１０８回の自転のエネルギーは８×１０−３０Ｊです。
それで、１回の自転のエネルギーは、８×１０−３０Ｊ÷１０８回＝８×１０−３８Ｊです。
電子のラブが１自転してできる１個の磁気の光子のエネルギーは８×１０−３８Ｊです。
７．  電子のラブは１秒間にどれ位の電気のエネルギーと磁気のエネルギーを作るか。
電子のラブは、１秒間に、１．２５×１０−１２ｍの軌道を１０１６回公転し、１０１６個の電気の光子を作る。電気の光子１個のエネルギーは８×１０−３０Ｊですから、１．２５×１０−１２ｍの軌道で、１秒間に８×１０−１４Ｊの電気の光子を作る。
電子のラブは、１秒間に、１．２５×１０−２０ｍの軌道を１０２４回自転し、１０２４個の磁気の光子を作る。磁気の光子１個のエネルギーは８×１０−３８Ｊですから、１．２５×１０−２０ｍの軌道で、１秒間に８×１０−１４Ｊの電気の光子を作る。
８．  原子の中で、磁気の光子はどのように変化するか。図２
（今回は電子の電気の光子と磁気の光子だけについて言及するので、電気の光子と磁気の光子は全て電子の電気の光子と磁気の光子です。）
電子の中で、電子のラブが１．２５×１０−２０ｍの軌道を自転することによって、１．２５×１０−２０ｍで８×１０−３８Ｊの磁気の光子ができる。
１秒間に１０１６回公転するので、１秒間に１０２４回自転し、できる磁気の光子のエネルギーは、８×１０−３８Ｊ×１０２４＝８×１０−１４Ｊです。
できた磁気の光子は、次第に軌道を大きくし、エネルギーを減少させて、大きな軌道になる。
１．２５×１０−１２ｍの軌道になったときには、軌道は１０８倍に成るので、エネルギーは１０−８倍に成り、磁気の光子１個のエネルギーは、８×１０−３８Ｊ×１０−８＝８×１０−４６Ｊになる。
磁気の光子は１０８個が束になって、電気の光子をクロス回転している。
磁気の光子の軌道が１．２５×１０−１２ｍになったとき、軌道が１．２５×１０−１２ｍの電気の光子をクロス回転する。
１秒間に、電気の光子は１０１６個回転するので、磁気の光子は１０２４個回転する。
９．  原子の中で、電気の光子はどのようになっているか。
本発明者は、特願２００５−８２７８の「請求項８」で、実際、原子の中において、電気の光子の軌道エネルギーはどれ位か、について記しています。
電子の中を原子の中と訂正します。
電子の光子が１０８個で１個のＸ線になると考えています。
これを電気の光子１個で１個のＸ線であると訂正します。
本発明者は、今度、電子の光子が１個で１個のＸ線になると考えます。
それで、原子の中の軌道において、電気の光子は、１秒間にどれ位回転しているか。そのエネルギーはどれ位か。軌道エネルギーの式はどのようであるかを表にします。
原子の中の、電気の光子１個のエネルギーを８×１０−３０Ｊとしています。
2005287297.tif 000003
原子の中で、電気の光子の軌道エネルギーは、電子のラブの公転から離れるほど、外側になるほど、電気の光子の数は減少し、軌道のエネルギーは小さくなる。
これは、電子のラブが電気の光子を引き付けている事を示す。
１０．  原子の中で、磁気の光子はどのようになっているか。
本発明者は、特願２００５−８２７８の「請求項９」で、実際、原子の中において、磁気の光子の軌道エネルギーはどれ位か、について記しています。
電子の中を原子の中と訂正します。
電子のラブが１公転で、１０１６個の磁気の光子ができると考えています。
これを、電子のラブが１公転で、１０８個の磁気の光子ができると訂正します。
１０１６個の磁気の光子のエネルギーを１０−３７Ｊとしています。
これを訂正し、１０８個のエネルギーを８×１０−３８Ｊとします。
本発明者は、今回、電子のラブが１公転で、１０８個の磁気の光子ができると考えています。
それで、原子の中の軌道において、磁気の光子は、１秒間にどれ位回転しているか。そのエネルギーはどれ位か。軌道エネルギーの式はどのようであるかを表にします。
原子の中の、磁気の光子１個のエネルギーを８×１０−３８Ｊとしています。
2005287297.tif 000004
原子の中で、磁気の光子は、１０８個が１束になって、電気の光子をクロス回転している。
原子の中で、磁気の光子の軌道エネルギーは、電子のラブの公転から離れるほど、外側になるほど、磁気の光子の数は減少し、軌道のエネルギーは小さくなる。
これは、電子のラブが磁気の光子を引き付けている事を示す。
１１．  地上では、電気の軌道エネルギーの式と磁気の光子の軌道エネルギーの式はどれくらいか。
地上の軌道エネルギーと原子の外側の軌道エネルギーは同じである。
原子の軌道、約１０−９ｍが地上の軌道エネルギーである。
地上では、電気の光子１個の軌道エネルギーの式は、１０−３３Ｊ・ｍ÷軌道又はエネルギーです。
地上では、磁気の光子１０８個の軌道エネルギーの式は、１０−４１Ｊ・ｍ÷軌道又はエネルギーです。
地上では、磁気の光子１個の軌道エネルギーの式は、１０−４９Ｊ・ｍ÷軌道又はエネルギーです。
１２．  原子の電子から放出する電気の光子と磁気の光子の数とエネルギーの関係はどのようであるか。
地上の、電気の光子１個の軌道エネルギーの式と磁気の光子１個の軌道エネルギーの式から、地上では、電気の光子１個の軌道エネルギーは、磁気の光子１０１６個の軌道エネルギーと同じです。
電気の光子と磁気の光子は、軌道が同じ場合、電気の光子のエネルギーは磁気の光子のエネルギーの１０１６倍です。
電子のラブが１公転し、１０８個の磁気の光子ができるので、電子から電気の光子と磁気の光子が放出する時、電気の光子の数と磁気の光子の数の割合は、１：１０８です。
電子から電気の光子と磁気の光子が放出する時、電気の光子のエネルギーと磁気の光子のエネルギーの割合は、１０８：１です。
１３．  万有引力は原子の電子の外側から放出する磁気の光子である事について、本発明者は、特願２００５−９２７０３に記した。この事はどのようなことか。図３
万有引力定数は６．６７２×１０−１１Ｎ・ｍｍ／Ｋｇ２ですから、１０００ｇでできる万有引力は（６．６７２×１０−１１）１／２Ｊ＝８．１６×１０−６Ｊです。１０００ｇには、１０００÷１２×６．０２２×１０２３個＝５×１０２５個の電子があります。
１個の電子でできる万有引力は、８．１６×１０−６Ｊ÷（５×１０２５個）＝１．６３×１０−３１Ｊです。
原子の中の軌道において、
１０−９ｍの磁気の光子の軌道エネルギーの式は、
１．７×１０−４０Ｊ・ｍ÷軌道又はエネルギーですから、１．６３×１０−３１Ｊの軌道は、
１．７×１０−４０Ｊ・ｍ÷（１．６３×１０−３１Ｊ）＝１．０４３×１０−９ｍです。
１０−９ｍの磁気の光子の軌道で、
１．７１４×１０−３１Ｊは１０８個の磁気の光子が２．１４３×１０６個まとまったエネルギーです。
それで、１個のエネルギーは、
１．７１４×１０−３１Ｊ÷（１０８×２．１４３×１０６個）＝８×１０−４６Ｊです。
これは、１．２５×１０−２０ｍでは、８×１０−３８Ｊであり、１．２５×１０−１２ｍでは８×１０−４６Ｊであるからです。
１．６３×１０−３１Ｊは何個の磁気の光子か。
１．６３×１０−３１Ｊ÷（８×１０−４６Ｊ）＝２．０３７×１０１４個です。
この磁気の光子は、地上では、
１０−４９Ｊ・ｍ÷（８×１０−４６Ｊ）＝１．２５×１０−４ｍです。
即ち、万有引力と成っている磁気の光子は、１電子から毎秒、１．０４３×１０−９ｍの軌道で、８×１０−４６Ｊの磁気の光子が２×１０１４個放出します。このエネルギーは、１．６３×１０−３１Ｊです。
その磁気の光子の軌道は、原子の中では、１．０４×１０−９ｍで、地上に出ると１．２５×１０−４ｍになります。
１４．  原子の中で、電子のラブが１秒間に作る磁気の光子は８×１０−１４Ｊです。放出する磁気の光子は１秒間に１．６３×１０−３１Ｊです。
１秒間に放出する磁気の光子はできた磁気の光子のどれ位か。
１秒間に放出する磁気の光子はできた磁気の光子の、１．６３×１０−３１Ｊ÷（８×１０−１４Ｊ）＝２×１０−１８倍です。
１５．  原子の中で、電子のラブが１秒間に作る電気の光子は８×１０−１４Ｊです。このうちどれ位の電気の光子のエネルギーが放出するか。
原子の中の、１０−９ｍの磁気の光子の軌道では、１秒間に１．７×１０−３１Ｊの磁気の光子が回転している。
放出する磁気の光子は、１秒間に１．６３×１０−３１Ｊです。
１０−９ｍの軌道を回転する、１．６３×１０−３１Ｊ÷（１．７×１０−３１Ｊ）＝０．９５９倍の磁気の光子が放出する。
それで、電気の光子も同じ割合で放出すると仮定すると、
原子の中の、１０−９ｍの電気の光子の軌道では、１秒間に１．７１４×１０−２３Ｊの電気の光子が回転しているから、放出する電気の光子は、１秒間に、
１．７×１０−２３Ｊ×０．９５９＝１．６３×１０−２３Ｊです。
１秒間に放出する電気の光子のエネルギーは、１．６３×１０−２３Ｊです。
この軌道は、
１０−９ｍの電気の光子の軌道エネルギーの式は、１．７×１０−３２Ｊ・ｍ÷軌道又はエネルギーですから、
１．７×１０−３２Ｊ・ｍ÷（１．６３×１０−２３Ｊ）＝１．０４２９×１０−９ｍです。
１０−９ｍの軌道において、２．１４３×１０６個の電気の光子が回転し、１．７１４×１０−２３Ｊですから、１個の電気の光子のエネルギーは、１．７１４×１０−２３Ｊ÷（２．１４３×１０６個）＝８×１０−３０Ｊです。
１秒間に放出する電気の光子の数は、１．６３×１０−２３Ｊ÷（８×１０−３０Ｊ）＝２．０３７５×１０６個です。
電気の光子の地上での軌道は、１０−３３Ｊ・ｍ÷（８×１０−３０Ｊ）＝１．２５×１０−４ｍです。
即ち、電磁気として放出する場合、
電気の光子は毎秒、１．０４２９×１０−９ｍの軌道で、８×１０−３０Ｊの電気の光子が２．０３７５×１０６個放出します。このエネルギーは１．６３×１０−２３Ｊです。
地上では１．２５×１０−４ｍになります。
即ち、放出する電気の光子のエネルギーは、放出する磁気の光子のエネルギーの、
１．６３×１０−２３Ｊ÷（１．６３×１０−３１Ｊ）＝１０８倍です。
放出する磁気の光子の数は、放出する電気の光子の数の、
２×１０１４個÷（２×１０６個）＝１０８倍です。
放出する電気の光子１個のエネルギーは、放出する磁気の光子１個のエネルギーの、
８×１０−３０Ｊ÷（８×１０−３８Ｊ÷１０８個）＝１０１６倍です。
１６．  原子の中で、電子のラブが１秒間に作る電気の光子は８×１０−１４Ｊです。放出する電気の光子は１秒間に１．６３×１０−２３Ｊです。
１秒間に放出する電気の光子はできた電気の光子のどれ位か。
１秒間に放出する電気の光子はできた電気の光子の、１．６３×１０−２３Ｊ÷（８×１０−１４Ｊ）＝３．０３７５×１０−１０倍です。
１７．  １Ａの導線において、１秒間にできる磁気の光子のエネルギーと、電気の光子のエネルギーはどれだけか。  １Ａの導線には１秒間に何個の自由電子が走っているか。図４
１Ａの導線において、１秒間にできる磁気の光子のエネルギーは、（１０−７）１／２Ｊ×３×１０８＝９．４８７×１０４Ｊです。
１Ａの導線において、１秒間にできる電気の光子のエネルギーは、（９×１０９）１／２Ｊ＝９．４８７×１０４Ｊです。
１Ａの導線において、１秒間にできる電気の光子のエネルギーと磁気の光子のエネルギーは９．４８７×１０４Ｊで等しい。
１個の自由電子が１秒間走ってできる電気の光子のエネルギーは８×１０−１４Ｊです。
１Ａの導線には１秒間に何個の自由電子が走っているか。９．４８７×１０４Ｊは何個の自由電子によってできるエネルギーか。
１Ａの導線には１秒間に、９．４８７×１０４Ｊ÷（８×１０−１４Ｊ）＝１．１８５×１０１８個の自由電子が走っている。
１Ａの導線には１秒間に、１．１８５×１０１８個の自由電子が走っていて、９．４８７×１０４Ｊの電気の光子と磁気の光子を作る。
１Ａの導線には１秒間に、１．１８５×１０１８個の自由電子が走っていて、９．４８７×１０４Ｊの電気の光子と磁気の光子を作り、この磁気の光子と電気の光子が放出する。
磁気の光子は導線から放出し、引く力になる。
電気の光子は、導線の中で、電気になり、電流になり、電子のラブの逆方向に走る。
導線で、自由電子のラブは、１００％自分のエネルギーを電気の光子にし、これが逆方向に走る。電気の光子は電気となる。
導線で、自由電子のラブは、１００％自分のエネルギーを磁気の光子にし、放出する。磁気の光子は引力になる。
１８．  導線において、自由電子のラブは１秒間に何回公転するか。１秒間に何回自転するか。
自由電子のラブは、原了の中の電子のラブと同じ回数公転し、自転する。
自由電子のラブは、１秒間に、１０１６回公転し、１０２４回自転する。
１９．  導線において、自由電子のラブが１公転で作る１個の電気の光子のエネルギーはどれ位か。１自転でできる１個の磁気の光子のエネルギーはどれ位か。
自由電子のラブは、１秒間に、１０１６回公転し８×１０−１４Ｊの電気の光子を作るから、１個の電気の光子のエネルギーは、８×１０−１４Ｊ÷１０１６＝８×１０−３０Ｊです。
２０．  導線において、自由電子のラブが１自転で作る１個の磁気の光子のエネルギーはどれ位か。
自由電子のラブは、１秒間に、１０２４回自転し８×１０−１４Ｊの磁気の光子を作るから、１個の磁気の光子のエネルギーは、８×１０−１４Ｊ÷１０２４＝８×１０−３８Ｊです。
２１．  導線において、自由電子のラブの１公転の軌道はどれ位か。１自転の軌道はどれ位か。図５
導線において、電子のラブは、１秒間に３×１０８ｍ走るとする。
自由電子のラブが１公転する距離は、３×１０８ｍ÷１０１６回公転＝３×１０−８ｍです。
自由電子のラブが１公転する軌道は、３×１０−８ｍ÷２＝１．５×１０−８ｍです。
自由電子のラブは３×１０−８ｍ走り、１公転し、電気の光子１個を作る。
電気の光子１個の軌道は１．５×１０−８ｍで、エネルギーは８×１０−３０Ｊです。
電子のラブが１自転する距離は、３×１０８ｍ÷１０２４回自転＝３×１０−１６ｍです。
電子のラブが１自転する軌道は、３×１０−１６ｍ÷２＝１．５×１０−１６ｍです。
自由電子のラブは３×１０−１６ｍ走り、１自転し、磁気の光子１個を作る。
磁気の光子１個の軌道は１．５×１０−１６ｍで、エネルギーは８×１０−３８Ｊです。
２２．  導線でできる電気の光子のエネルギーはどのようになるか。地上ではどれ位になるか。
導線において、自由電子のラブは、３×１０−８ｍ走り、１公転し、電気の光子１個を作る。
電気の光子１個の軌道は１．５×１０−８ｍで、エネルギーは８×１０−３０Ｊです。
電気の光子は、電流と成り、導線の中を走ります。
この電気の光子が地上に放出した場合、電気の光子１個のエネルギーは８×１０−３０Ｊです。
地上における軌道は、１０−３３Ｊ・ｍ÷（８×１０−３０Ｊ）＝１．２５×１０−４ｍです。
２３．  導線でできる磁気の光子のエネルギーはどのようになるか。地上ではどれ位になるか。
導線において、自由電子のラブは３×１０−１６ｍ走り、１自転し、磁気の光子１個を作る。
磁気の光子１個の軌道は１．５×１０−１６ｍで、エネルギーは８×１０−３８Ｊです。
磁気の光子は、導線から放出し、引力になる。
地上における軌道は、１０−４９Ｊ・ｍ÷（８×１０−３８Ｊ）＝１．２５×１０−１２ｍです。
但し、８×１０−４６Ｊでは１．２５×１０−４ｍになります。
磁気の光子の軌道が１０８倍になり、１．５×１０−１６ｍ×１０８倍＝１．５×１０−８ｍに成ると、エネルギーは８×１０−４６Ｊとなる。この磁気の光子が外に放出すると、１．２５×１０−４ｍになります。
２４．  導線から放出する磁気の光子のエネルギーは１ｍ間では、どれ位か。
自由電子のラブは３×１０−１６ｍで１自転し、１個の磁気の光子を作る。
１ｍでは、１ｍ÷（３×１０−１６ｍ）＝３．３３３×１０１５回自転し、３．３３３×１０１５個の磁気の光子ができるから、１ｍでできる磁気の光子のエネルギーは、
８×１０−３８Ｊ×３．３３３×１０１５個＝２．６６６×１０−２２Ｊです。
１Ａには、１．１８５×１０１８個の自由電子が走っているから、１Ａ・１ｍでできる磁気の光子のエネルギーは、１．１８５×１０１８個×２．６６６×１０−２２Ｊ＝３．１６×１０−４Ｊです。
以上の事をまとめて表にします。
2005287297.tif 000005
2005287297.tif 000006
２５．  導線の中を電子のラブは光速で走る。この事は何を証明するか。
電子のラブは高エネルギーで、非常に小さい。それで、導線の元素をスイスイ通り抜けるる事ができる。まるで真空を走るように、何の障害物も無いように走る事ができる。
電子は電子のラブである。電子には電子のラブが存在し、それが本体である事を証明する。
導線の中をまるで真空のように走ることができるのは、導線を構成する陽子も、非常に小さいものである陽子のラブである事を証明する。
２６．  電気の比例定数÷磁気の比例定数＝（光速度）２です。この事はどのような事であるか。この式が成立する事の証明。
（磁気の比例定数）１／２＝（１０−７）１／２＝３．１６×１０−４＝１Ａ・１ｍでできる磁気の光子のエネルギー。
（電気の比例定数）１／２＝（９×１０９）１／２＝９．４８７×１０４＝１Ａ・３×１０８ｍでできる電気の光子のエネルギー。
１秒間にできる電気の光子のエネルギーと磁気の光子のエネルギーは等しいです。
それで、１Ａ・１ｍにできる磁気の光子のエネルギー＝１Ａ・１ｍにできる電気の光子のエネルギー。
電気の比例定数÷磁気の比例定数
＝（１Ａ・３×１０８ｍでできる電気の光子のエネルギー）２÷（１Ａ・１ｍでできる磁気の光子のエネルギー）２
＝（１Ａ・３×１０８ｍでできる電気の光子のエネルギー）２÷（１Ａ・１ｍでできる電気の光子のエネルギー）２
＝（１Ａ・１ｍでできる電気の光子のエネルギー×３×１０８ｍ）２÷（１Ａ・１ｍでできる電気の光子のエネルギー）２＝（３×１０８ｍ）２。
又は、
電気の比例定数÷磁気の比例定数
＝（１Ａ・３×１０８ｍでできる電気の光子のエネルギー）２÷（１Ａ・１ｍでできる磁気の光子のエネルギー）２
＝（１Ａ・３×１０８ｍでできる磁気の光子のエネルギー）２÷（１Ａ・１ｍでできる磁気の光子のエネルギー）２
＝（１Ａ・１ｍでできる磁気の光子のエネルギー×３×１０８ｍ）２÷（１Ａ・１ｍでできる磁気の光子のエネルギー）２＝（３×１０８ｍ）２。
この式によって証明できる。
２７．  電子のラブはどのように電気の光子と磁気の光子を作るのか。その原理について。図６
電子のラブはらせん状に走る。
らせん状に走るためには２種類の力が必要です。
１つは回転する力です。１つは進む力です。
らせん状に走るためには２種類の運動が必要です。
１つは回転運動です。１つは進む運動です。
らせん状に走るためには２種類の運動量が必要です。
１つは回転運動量です。１つは進む運動量です。
回転運動と進む運動が組み合って、らせん状に走る運動ができます。
電子のラブは回転運動と進む運動によって、らせん状に走ります。
回転運動の方向は進む運動の方向に対して垂直です。
電子のラブの回転運動は自転運動です。
電子のラブの回転運動が磁気の光子になります。
電子のラブの回転運動量は自転運動量です。
電子のラブの回転運動量が磁気の光子の運動量に成ります。
電子のラブの回転運動量は磁気の光子の運動量に変換し、磁気の光子の運動量は保存します。
電子のラブは回転運動と進む運動によって、らせん状に走ります。
電子のラブの進む運動は公転運動です。
電子のラブの進む運動が電気の光子になります。
電子のラブの進む運動量は公転運動量です。
電子のラブの進む運動量が電気の光子の運動量に成ります。
電子のラブの進む運動量は電気の光子の運動量に変換し、電気の光子の運動量は保存します。
２８．  電子のラブとはどのようなものであるか。電子のラブの定義。
１．電子のラブは、導線を光速＝３×１０８ｍで走る。
２．電子のラブは、らせん状に走る。
３．らせん状に走るという現象は、回転運動と進む運動をくりかすことです。
４．電子のラブは、回転運動と、進む運動をしながら走る。
５．電子のラブの回転運動は、電子のラブの自転運動です。
６．電子のラブの進む運動は、電子のラブの公転運動です。
７．電子のラブの自転運動は、磁気の光子に成る。
８．電子のラブの公転運動は、電気の光子になる。
９．電子のラブは、磁気の性質と電気の性質を持つ。
２９．  電子のラブの運動量は、保存される。
電子のラブの１秒間の仕事エネルギー×軌道＝電子のラブの１秒間の仕事エネルギー×軌道を走る距離＝一定の運動量
これは軌道エネルギーとして保存される。
どのように保存されるかについて。
回転する運動のエネルギーは、磁気の光子に成り保存される。
進む運動のエネルギーは、電気の光子に成り保存される。
回転する運動量は、磁気の光子に変換し、磁気の光子の運動量として保存される。
進む運動量は、電気の光子に変換し、電気の光子の運動量として保存される。
電子のラブが１秒間に自転運動するエネルギー×軌道＝電子のラブが１秒間に自転運動し、軌道を走る運動量＝電子のラブが１秒間に軌道を走る自転運動量＝一定＝軌道エネルギー。
電子のラブが１秒間に軌道を走る自転運動量は磁気の光子の運動量に変換し、保存される。
電子のラブが１秒間に公転運動するエネルギー×軌道＝電子のラブが１秒間に公転運動し、軌道を走る運動量＝電子のラブが１秒間に軌道を走る公転運動量＝一定＝軌道エネルギー。
電子のラブが１秒間に軌道を走る公転運動量は電気の光子の運動量に変換し、保存される。
軌道エネルギーは１秒間の運動量です。これは一定です。
軌道エネルギー＝１秒間の運動量＝電子のラブの１秒間の仕事エネルギー×軌道＝一定。
電子のラブの１秒間の仕事エネルギー×軌道は一定の運動量であり、この一定の運動量が電気の光子の運動量や磁気の光子の運動量に変換される。
例えば、電子のラブの自転の軌道エネルギーは、８×１０−１４Ｊ×１．２５×１０−２０ｍ＝１０−３３Ｊ・ｍであり、これは、電子のラブの自転の運動量です。軌道エネルギーは運動量です。
この電子のラブの自転の運動量が磁気の光子の運動量になる。
電子のラブが１秒間、自転運動をし、１０２４個の磁気の光子を作るから、電子のラブの１０−３３Ｊ・ｍの運動量は磁気の光子１０２４個の運動量になる。
磁気の光子１個の運動量は、１０−３３Ｊ・ｍ÷１０２４個＝１０−５７Ｊ・ｍです。
原子の中の、磁気の光子１個の軌道エネルギーは保存されるから、磁気の光子１個の軌道エネルギーの式は、
１０−５７Ｊ・ｍ÷軌道又はエネルギーです。
原子の中は、磁気の光子が１０８個で１束となっていますから、磁気の光子１０８個の軌道エネルギーの式は、
１０−５７Ｊ・ｍ×１０８個÷軌道又はエネルギー＝１０−４９Ｊ・ｍ÷軌道又はエネルギー  です。
それで、磁気の光子１個の１．２５×１０−２０ｍの軌道のエネルギーは、１０−５７Ｊ・ｍ÷（１．２５×１０２０ｍ）＝８×１０−３８Ｊです。
磁気の光子１０８個の１．２５×１０−１２ｍの軌道のエネルギーは、１０−４９Ｊ・ｍ÷（１．２５×１０−１２ｍ）＝８×１０−３８Ｊです。
磁気の光子１個の１．２５×１０−１２ｍの軌道のエネルギーは、１０−５７Ｊ・ｍ÷（１．２５×１０−１２ｍ）＝８×１０−４６Ｊです。
例えば、電子のラブの公転の軌道エネルギーは、８×１０−１４Ｊ×１．２５×１０−１２ｍ＝１０−２５Ｊ・ｍであり、これは、電子のラブの公転の運動量です。軌道エネルギーは運動量です。
この電子のラブの公転の運動量が電気の光子の運動量になる。
電子のラブが１秒間、公転運動をし、１０１６個の電気の光子を作るから、電子のラブの１０−２５Ｊ・ｍの運動量は電気の光子１０１６個の運動量になる。
電気の光子１個の運動量は、１０−２５Ｊ・ｍ÷１０１６個＝１０−４１Ｊ・ｍです。
原子の中の、電気の光子１個の軌道エネルギーは保存されるから、電気の光子１個の軌道エネルギーの式は、
１０−４１Ｊ・ｍ÷軌道又はエネルギーです。
それで、電気の光子の１．２５×１０−１２ｍの軌道のエネルギーは、１０−４１Ｊ・ｍ÷（１．２５×１０−１２ｍ）＝８×１０−３０Ｊです。
３０．  どうして、地上における軌道エネルギーの式は、原子の中における軌道エネルギーの式の１０８倍になるのか。
原子の中の、磁気の光子１個の軌道エネルギーの式は、１０−５７Ｊ・ｍ÷軌道又はエネルギーです。
地上では、磁気の光子１個の軌道エネルギーの式は、１０−４９Ｊ・ｍ÷軌道又はエネルギー  です。
原子の中の、電気の光子１個の軌道エネルギーの式は、１０−４１Ｊ・ｍ÷軌道又はエネルギーです。
地上では、電気の光子１個の軌道エネルギーの式は、１０−３３Ｊ・ｍ÷軌道又はエネルギー  です。
この事は、エネルギーは変わらないけれど、軌道が大きくなるという事です。
原子の中は高密度で、高エネルギーである。地上は低密度で、低エネルギーである。
それで、原子の中から地上に出た光子は、高エネルギーの原子の中から、低エネルギーの地上に出ると、光子の軌道は１０８倍になる。
地上に出ると、エネルギーは変わらないけれど、光子の軌道は１０８倍になるから、軌道×エネルギーは１０８倍に成る。
【発明の効果】
【０００６】  １個の電気の光子＝１個のＸ線。電子のラブが１公転する間に、１０８回自転する。自転の軌道エネルギーの式は、１０−３３Ｊ・ｍ÷軌道又はエネルギー  である。と考える事によって、表のように、理解できた。導線の自由電子が光速で走ることによって、電子のラブと陽子のラブの存在を確証できた。軌道エネルギーとは運動量である事が理解できた。電子のラブの回転運動量が磁気の光子の運動量に変換され保存される事が理解できた。電子のラブの進む運動量が電気の光子の運動量に変換され保存される事が理解できた。
原子の中において、磁気の光子の運動量は一定で、１０−５７Ｊ・ｍであり、磁気の光子１個の軌道エネルギーの式は、１０−５７Ｊ・ｍ÷軌道又はエネルギー  であると理解できた。
原子の中において、電気の光子の運動量は一定で、１０−４１Ｊ・ｍであり、磁気の光子１個の軌道エネルギーの式は、１０−４１Ｊ・ｍ÷軌道又はエネルギー  であると理解できた。
原子の中から地上に出た光子は、高エネルギーの原子の中から、低エネルギーの地上に出ると、光子の軌道は１０８倍になる。それで、
地上において、磁気の光子１個の軌道エネルギーの式は、１０−４９Ｊ・ｍ÷軌道又はエネルギー  であると理解できた。
地上において、電気の光子１個の軌道エネルギーの式は、１０−３３Ｊ・ｍ÷軌道又はエネルギー  であると理解できた。
【図面の簡単な説明】
【０００７】
【図１】ラブの自転の軌道エネルギーの式は１０−３３Ｊ・ｍ÷軌道又はエネルギーで、電子のラブが１公転するとき、１０８回自転する。自転軌道は１．２５×１０−２０ｍで、１秒間に１０２４回自転する。
【図２】磁気の光子は１．２５×１０−２０ｍの軌道で、８×１０−３８Ｊで発生した。その軌道が１．２５×１０−１２ｍになると、８×１０−４６Ｊになった。電気の光子の１．２５×１０−１２ｍの軌道を、磁気の光子は１．２５×１０−１２ｍの軌道でクロス回転する。
【図３】万有引力と成る磁気の光子は、磁気の光子１個が８×１０−４６Ｊで、１．０４３×１０−９ｍの軌道から２．１４３×１０１４個放出する。総エネルギーは１．６３×１０−３１Ｊです。これが地上に放出すると、１．２５×１０−４ｍになる。
【図４】導線１Ａには、１．１８５×１０１８個の自由電子が走っている。１Ａ・１ｍで３．１６×１０−４Ｊの磁気の光子ができる。１Ａ・３×１０８ｍで９．４８７×１０４Ｊの磁気の光子ができる。１Ａの導線において、１秒間にできる電気の光子のエネルギーは（９×１０９）１／２＝９．４８７×１０４Ｊです。
【図５】導線において、電子のラブの１公転は３×１０−８ｍであり、８×１０−３０Ｊの電気の光子を作る。電子のラブの１自転は３×１０−１６ｍであり、８×１０−３８Ｊの磁気の光子を作る。磁気の光子の軌道が１０８倍（＝１．５×１０−８ｍ）に成ると、磁気の光子１個のエネルギーは８×１０４６Ｊになる。
【図６】電子のラブは回転運動と進む運動によって、らせん状に走ります。電子のラブの回転運動量は磁気の光子の運動量になり保存される。電子のラブの進む運動量は電気の光子の運動量になり保存される  進む力の方向は回転する力の方向に垂直である。導線の中の場合と原子の中を示す。
【符号の説明】
１  電子のラブ
２  電子のラブの自転
３  電子のラブの公転（１公転で１０８回自転する。）
４  磁気の光子
５  電気の光子
６  万有引力と成る磁気の光子
７  地上に放出した万有引力となる磁気の光子
８  導線
９  進む力
１０  回転する力
１１  電子のラブの進む運動量
１２  電子のラブの回転する運動量
１３  電気の光子の運動量
１４  磁気の光子の運動量
【図１】
2005287297.tif 000011
【図２】
2005287297.tif 000012
【図３】
2005287297.tif 000013
【図４】
2005287297.tif 000014
【図５】
2005287297.tif 000015
【図６】
2005287297.tif 000016